(57)【要約】【課題】作業者が容易に故障したトランジスタを特定することができる故障検知回路を提供しようとするものである。【解決手段】複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、上記ドライブ回路から出力される駆動信号により発光するＬＥＤまたは上記ドライブ回路から出力される駆動信号が入力されると信号を出力するフォトカプラを有するようにしたものである。【選択図】        図２
2014161178.tif 000002
【特許請求の範囲】
【請求項１】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
前記ドライブ回路から出力される駆動信号により発光するＬＥＤを有する
ことを特徴とする故障検知回路。
【請求項２】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
前記ドライブ回路から出力される駆動信号が入力されると、信号を出力するフォトカプラを有する
ことを特徴とする故障検知回路。
【請求項３】
請求項２に記載の故障検知回路において、さらに、
前記フォトカプラに対して直列あるいは並列に配設されるとともに、前記ドライブ回路から出力される駆動信号により発光するＬＥＤと
を有することを特徴とする故障検知回路。
【請求項４】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
第１のドライブ回路と、前記第１のドライブ回路から駆動信号が出力される第１のトランジスタとの間に配設され、前記第１のドライブ回路から出力される駆動信号が入力されると信号を出力する第１のフォトカプラと、
前記第１のドライブ回路と全く異なったタイミングで駆動信号を出力する第２のドライブ回路と、前記第２のドライブ回路から駆動信号が出力される第２のトランジスタとの間に配設され、前記第２のドライブ回路から出力される駆動信号が入力されると信号を出力する第２のフォトカプラと、
前記第１のフォトカプラと前記第２のフォトカプラとが接続される論理和回路と
を有し、
前記論理和回路は、
前記第１のフォトカプラから信号が出力され、かつ、前記第２のフォトカプラから信号が出力されていないとき、および、前記第１のフォトカプラから信号が出力されず、かつ、前記第２のフォトカプラから信号が出力されたときには、正常を表す信号を出力し、
前記第１のフォトカプラおよび前記第２のフォトカプラから信号が出力されたとき、および、前記第１のフォトカプラおよび前記第２のフォトカプラから信号が出力されていないときには、異常を表す信号を出力する
ことを特徴とする故障検知回路。
【請求項５】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
第１のドライブ回路と、前記第１のドライブ回路から駆動信号が出力される第１のトランジスタとの間に配設され、前記第１のドライブ回路から出力される駆動信号を入力すると信号を出力する第１のフォトカプラと、
前記第１のドライブ回路と一致したタイミングで駆動信号を出力する第２のドライブ回路と、前記第２のドライブ回路から駆動信号が出力される第２のトランジスタとの間に配設され、前記第２のドライブ回路から出力される駆動信号を入力すると信号を出力する第２のフォトカプラと、
前記第１のフォトカプラと前記第２のフォトカプラとが接続される論理和回路と
を有し、
前記論理和回路は、
前記第１のフォトカプラおよび前記第２のフォトカプラから信号が出力されたとき、および、前記第１のフォトカプラおよび前記第２のフォトカプラから信号が出力されていないときには、正常を表す信号を出力し、
前記第１のフォトカプラから信号が出力され、かつ、前記第２のフォトカプラから信号が出力されていないとき、および、前記第１のフォトカプラから信号が出力されず、かつ、前記第２のフォトカプラから信号が出力されたときには、異常を表す信号を出力する
ことを特徴とする故障検知回路。
【請求項６】
請求項４または５に記載の故障検知回路において、さらに、
前記第１のフォトカプラに対して直列あるいは並列に配設されるとともに、前記第１のドライブ回路から出力される駆動信号により発光する第１のＬＥＤと、
前記第２のフォトカプラに対して直列あるいは並列に配設されるとともに、前記第２のドライブ回路から出力される駆動信号により発光する第２のＬＥＤと
を有することを特徴とする故障検知回路。
【請求項７】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
前記トランジスタのゲート−エミッタ間に配設され、前記ドライブ回路から出力される駆動信号を入力すると信号を出力する第１のフォトカプラと、
前記トランジスタのコレクタ−エミッタ間に配設され、前記トランジスタのコレクタから出力されるコレクタ信号を入力すると信号を出力する第２のフォトカプラと、
前記第１のフォトカプラと前記第２のフォトカプラとが接続される排他的論理和回路と
を有し、
前記排他的論理和回路は、
前記第１のフォトカプラから信号が出力され、かつ、前記第２のフォトカプラから信号が出力されていないとき、および、前記第１のフォトカプラから信号が出力されず、かつ、前記第２のフォトカプラから信号が出力されたときには、正常を表す信号を出力し、
前記第１のフォトカプラおよび前記第２のフォトカプラから信号が出力されたとき、および、前記第１のフォトカプラおよび前記第２のフォトカプラから信号が出力されていないときには、異常を表す信号を出力する
ことを特徴とする故障検知回路。
【請求項８】
請求項６に記載の故障検知回路において、さらに、
前記第１のフォトカプラに対して直列あるいは並列に配設されるとともに、前記ドライブ回路から出力される駆動信号により発光するＬＥＤと
を有することを特徴とする故障検知回路。
【請求項９】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
第１のドライブ回路から駆動信号が出力される前記第１のトランジスタのゲート−エミッタ間に配設され、前記第１のドライブ回路から出力される駆動信号を入力すると信号を出力する第１のフォトカプラと、
前記第１のドライブ回路から駆動信号が出力される前記第１のトランジスタのコレクタ−エミッタ間に配設され、前記第１のトランジスタのコレクタから出力されるコレクタ信号を入力すると信号を出力する第２のフォトカプラと、
前記第１のフォトカプラと前記第２のフォトカプラとが接続される第１の排他的論理和回路と、
前記第１のドライブ回路と全く異なったタイミングで駆動信号を出力する第２のドライブ回路から駆動信号が出力される第２のトランジスタのゲート−エミッタ間に配設され、前記第２のドライブ回路から出力される駆動信号を入力すると信号を出力する第３のフォトカプラと、
前記第２のドライブ回路から駆動信号が出力される前記第２のトランジスタのコレクタ−エミッタ間に配設され、前記第２のトランジスタのコレクタから出力されるコレクタ信号を入力すると信号を出力する第４のフォトカプラと、
前記第３のフォトカプラと前記第４のフォトカプラとが接続される第２の排他的論理和回路と、
前記第１のフォトカプラと前記第３のフォトカプラとが接続される論理和回路と
を有し、
前記第１の排他的論理和回路は、
前記第１のフォトカプラから信号が出力され、かつ、前記第２のフォトカプラから信号が出力されていないとき、および、前記第１のフォトカプラから信号が出力されず、かつ、前記第２のフォトカプラから信号が出力されたときには、正常を表す信号を出力し、
前記第１のフォトカプラおよび前記第２のフォトカプラから信号が出力されたとき、および、前記第１のフォトカプラおよび前記第２のフォトカプラから信号が出力されていないときには、異常を表す信号を出力し、
前記第２の排他的論理和回路は、
前記第３のフォトカプラから信号が出力され、かつ、前記第４のフォトカプラから信号が出力されていないとき、および、前記第３のフォトカプラから信号が出力されず、かつ、前記第４のフォトカプラから信号が出力されたときには、正常を表す信号を出力し、
前記第３のフォトカプラおよび前記第４のフォトカプラから信号が出力されたとき、および、前記第３のフォトカプラおよび前記第４のフォトカプラから信号が出力されていないときには、異常を表す信号を出力し、
前記論理和回路は、
前記第１のフォトカプラから信号が出力され、かつ、前記第３のフォトカプラから信号が出力されていないとき、および、前記第１のフォトカプラから信号が出力されず、かつ、前記第３のフォトカプラから信号が出力されたときには、正常を表す信号を出力し、
前記第１のフォトカプラおよび前記第３のフォトカプラから信号が出力されたとき、および、前記第１のフォトカプラおよび前記第３のフォトカプラから信号が出力されていないときには、異常を表す信号を出力する
ことを特徴とする故障検知回路。
【請求項１０】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
第１のドライブ回路から駆動信号が出力される前記第１のトランジスタのゲート−エミッタ間に配設され、前記第１のドライブ回路から出力される駆動信号を入力すると信号を出力する第１のフォトカプラと、
前記第１のドライブ回路から駆動信号が出力される前記第１のトランジスタのコレクタ−エミッタ間に配設され、前記第１のトランジスタのコレクタから出力されるコレクタ信号を入力すると信号を出力する第２のフォトカプラと、
前記第１のフォトカプラと前記第２のフォトカプラとが接続される第１の排他的論理和回路と、
前記第１のドライブ回路と一致したタイミングで駆動信号を出力する第２のドライブ回路から駆動信号が出力される第２のトランジスタのゲート−エミッタ間に配設され、前記第２のドライブ回路から出力される駆動信号を入力すると信号を出力する第３のフォトカプラと、
前記第２のドライブ回路から駆動信号が出力される前記第２のトランジスタのコレクタ−エミッタ間に配設され、前記第２のトランジスタのコレクタから出力されるコレクタ信号を入力すると信号を出力する第４のフォトカプラと、
前記第３のフォトカプラと前記第４のフォトカプラとが接続される第２の排他的論理和回路と、
前記第１のフォトカプラと前記第３のフォトカプラとが接続される論理和回路と
を有し、
前記第１の排他的論理和回路は、
前記第１のフォトカプラから信号が出力され、かつ、前記第２のフォトカプラから信号が出力されていないとき、および、前記第１のフォトカプラから信号が出力されず、かつ、前記第２のフォトカプラから信号が出力されたときには、正常を表す信号を出力し、
前記第１のフォトカプラおよび前記第２のフォトカプラから信号が出力されたとき、および、前記第１のフォトカプラおよび前記第２のフォトカプラから信号が出力されていないときには、異常を表す信号を出力し、
前記第２の排他的論理和回路は、
前記第３のフォトカプラから信号が出力され、かつ、前記第４のフォトカプラから信号が出力されていないとき、および、前記第３のフォトカプラから信号が出力されず、かつ、前記第４のフォトカプラから信号が出力されたときには、正常を表す信号を出力し、
前記第３のフォトカプラおよび前記第４のフォトカプラから信号が出力されたとき、および、前記第３のフォトカプラおよび前記第４のフォトカプラから信号が出力されていないときには、異常を表す信号を出力し、
前記論理和回路は、
前記第１のフォトカプラおよび前記第３のフォトカプラから信号が出力されたとき、および、前記第１のフォトカプラおよび前記第３のフォトカプラから信号が出力されていないときには、正常を表す信号を出力し、
前記第１のフォトカプラから信号が出力され、かつ、前記第３のフォトカプラから信号が出力されていないとき、および、前記第１のフォトカプラから信号が出力されず、かつ、前記第３のフォトカプラから信号が出力されたときには、異常を表す信号を出力する
ことを特徴とする故障検知回路。
【請求項１１】
請求項９または１０のいずれか１項に記載の故障検知回路において、さらに、
前記第１のフォトカプラに対して直列あるいは並列に配設されるとともに、前記第１のドライブ回路から出力される駆動信号により発光する第１のＬＥＤと、
前記第３のフォトカプラに対して直列あるいは並列に配設されるとともに、前記第２のドライブ回路から出力される駆動信号により発光する第２のＬＥＤと
を有することを特徴とする故障検知回路。
【請求項１２】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
前記ドライブ回路の出力部に設けられたゲート抵抗の信号入力側に配設され、前記ドライブ回路から出力された駆動信号が入力すると信号を出力する第１のフォトカプラと、
前記ドライブ回路の出力部に設けられた前記ゲート抵抗の信号出力側に配設され、前記ドライブ回路から出力された駆動信号が入力すると信号を出力する第２のフォトカプラと、
前記第２のフォトカプラに接続された否定回路と、
前記第１のフォトカプラおよび前記否定回路に接続された論理和回路と
を有し、
前記否定回路は、
前記第２のフォトカプラから信号が出力されると、前記論理和回路に信号を出力し、
前記第２のフォトカプラから信号が出力されないと、前記論理和回路に信号を出力せず、
前記論理和回路は、
前記第１のフォトカプラから信号が出力され、かつ、前記否定回路から信号が出力されないとき、および、前記第１のフォトカプラから信号が出力されず、かつ、前記否定回路から信号が出力されたときには、正常を表す信号を出力し、
前記第１のフォトカプラから信号が出力されない、前記否定回路から信号が出力されたときには、異常を表す信号を出力する
ことを特徴とする故障検知回路。
【請求項１３】
請求項１２に記載の故障検知回路において、さらに、
前記第１のフォトカプラに対して直列あるいは並列に配設されるとともに、前記ドライブ回路から出力される駆動信号により発光するＬＥＤと
を有することを特徴とする故障検知回路。
【発明の詳細な説明】
【技術分野】
【０００１】
本発明は、故障検知回路に関し、さらに詳細には、インバータ素子におけるトランジスタの故障を検知する故障検知回路に関する。
【背景技術】
【０００２】
一般に、高周波電源には、インバータ素子が設けられており、こうしたインバータ素子には複数のトランジスタが設けられている。
【０００３】
このトランジスタはそれぞれ、図１に示すように、トランジスタを駆動するための駆動信号を出力するドライブ回路に接続されている。
【０００４】
なお、図１においては、トランジスタとして、ＩＧＢＴ（Ｉｎｓｕｌａｔｅｄ  Ｇａｔｅ  Ｂｉｐｏｌａｒ  Ｔｒａｎｓｉｓｔｏｒ：絶縁ゲートバイポーラトランジスタ）が設けられている。
【０００５】
こうしたインバータ素子において、例えば、所定のトランジスタに短絡などの故障が生じた場合には、高周波電源を停止した後に、個々のトランジスタの電極にテスターを接触して、導通の有無を測定し、どのトランジスタに故障が生じたのかを確認するようにしていた。
【０００６】
ここで、所定のトランジスタが故障した状態のまま作動し続けると、インバータ素子に設けられた他のトランジスタなどに連鎖的に不具合が生じてしまい、故障範囲が拡大することとなる。
【０００７】
従って、故障が生じたトランジスタを見つけるために、全てのトランジスタに対してテスターによる測定を行わなければならなかった。
【０００８】
これにより、数多くのトランジスタを並列動作させる大電力インバータなどにおいて、故障したトランジスタを見つける作業に時間を要することにより復旧時間を要することとなり、こうした作業が作業者にとって負担となっていた。
【０００９】
このため、作業者が容易に故障したトランジスタを特定することができるようにした回路の提案が望まれていた。
【００１０】
なお、本願出願人が特許出願のときに知っている先行技術は、文献公知発明に係る発明ではないため、本願明細書に記載すべき先行技術文献情報はない。
【発明の概要】
【発明が解決しようとする課題】
【００１１】
本発明は、上記したような従来の技術の有する種々の問題点に鑑みてなされたものであり、その目的とするところは、作業者が容易に故障したトランジスタを特定することができる故障検知回路を提供しようとするものである。
【課題を解決するための手段】
【００１２】
上記目的を達成するために、本発明は、トランジスタと、当該トランジスタに駆動信号を供給するドライブ回路との間に、発光素子、具体的には、ＬＥＤやフォトカプラを配設するようにし、ドライブ回路から出力される駆動信号が入力されることにより発光するようにした。
【００１３】
そして、ＬＥＤを設けた場合には、トランジスタにおいて故障が生じていない場合には、ＬＥＤが点灯または点滅し、トランジスタにおいて短絡などの故障が生じた場合には、ＬＥＤは消灯する。
【００１４】
これにより、作業者は、ＬＥＤの発光状態を確認することにより、複数設けられたトランジスタのどこで故障が生じたのかを目視にて確認することができるようになる。
【００１５】
また、フォトカプラを設けた場合には、フォトカプラから出力される信号を利用して、例えば、表示装置などに故障が生じたドライブ回路およびトランジスタを表示する。
【００１６】
これにより、作業者は、表示装置の表示内容を確認することにより、複数設けられたトランジスタのどこで故障が生じたのかを確認することができるようになる。
【００１７】
即ち、本発明は、複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、上記ドライブ回路から出力される駆動信号により発光するＬＥＤを有するようにしたものである。
【００１８】
また、本発明は、複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、上記ドライブ回路から出力される駆動信号が入力されると、信号を出力するフォトカプラを有するようにしたものである。
【００１９】
また、本発明は、上記した発明において、さらに、上記フォトカプラに対して直列あるいは並列に配設されるとともに、上記ドライブ回路から出力される駆動信号により発光するＬＥＤとを有するようにしたものである。
【００２０】
また、本発明は、複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、第１のドライブ回路と、上記第１のドライブ回路から駆動信号が出力される第１のトランジスタとの間に配設され、上記第１のドライブ回路から出力される駆動信号が入力されると信号を出力する第１のフォトカプラと、上記第１のドライブ回路と全く異なったタイミングで駆動信号を出力する第２のドライブ回路と、上記第２のドライブ回路から駆動信号が出力される第２のトランジスタとの間に配設され、上記第２のドライブ回路から出力される駆動信号が入力されると信号を出力する第２のフォトカプラと、上記第１のフォトカプラと上記第２のフォトカプラとが接続される論理和回路とを有し、上記論理和回路は、上記第１のフォトカプラから信号が出力され、かつ、上記第２のフォトカプラから信号が出力されていないとき、および、上記第１のフォトカプラから信号が出力されず、かつ、上記第２のフォトカプラから信号が出力されたときには、正常を表す信号を出力し、上記第１のフォトカプラおよび上記第２のフォトカプラから信号が出力されたとき、および、上記第１のフォトカプラおよび上記第２のフォトカプラから信号が出力されていないときには、異常を表す信号を出力するようにしたものである。
【００２１】
また、本発明は、複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、第１のドライブ回路と、上記第１のドライブ回路から駆動信号が出力される第１のトランジスタとの間に配設され、上記第１のドライブ回路から出力される駆動信号を入力すると信号を出力する第１のフォトカプラと、上記第１のドライブ回路と一致したタイミングで駆動信号を出力する第２のドライブ回路と、上記第２のドライブ回路から駆動信号が出力される第２のトランジスタとの間に配設され、上記第２のドライブ回路から出力される駆動信号を入力すると信号を出力する第２のフォトカプラと、上記第１のフォトカプラと上記第２のフォトカプラとが接続される論理和回路とを有し、上記論理和回路は、上記第１のフォトカプラおよび上記第２のフォトカプラから信号が出力されたとき、および、上記第１のフォトカプラおよび上記第２のフォトカプラから信号が出力されていないときには、正常を表す信号を出力し、上記第１のフォトカプラから信号が出力され、かつ、上記第２のフォトカプラから信号が出力されていないとき、および、上記第１のフォトカプラから信号が出力されず、かつ、上記第２のフォトカプラから信号が出力されたときには、異常を表す信号を出力するようにしたものである。
【００２２】
また、本発明は、上記した発明において、さらに  上記第１のフォトカプラに対して直列あるいは並列に配設されるとともに、上記第１のドライブ回路から出力される駆動信号により発光する第１のＬＥＤと、上記第２のフォトカプラに対して直列あるいは並列に配設されるとともに、上記第２のドライブ回路から出力される駆動信号により発光する第２のＬＥＤとを有するようにしたものである。
【００２３】
また、本発明は、複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、上記トランジスタのゲート−エミッタ間に配設され、上記ドライブ回路から出力される駆動信号を入力すると信号を出力する第１のフォトカプラと、上記トランジスタのコレクタ−エミッタ間に配設され、上記トランジスタのコレクタから出力されるコレクタ信号を入力すると信号を出力する第２のフォトカプラと、上記第１のフォトカプラと上記第２のフォトカプラとが接続される排他的論理和回路とを有し、上記排他的論理和回路は、上記第１のフォトカプラから信号が出力され、かつ、上記第２のフォトカプラから信号が出力されていないとき、および、上記第１のフォトカプラから信号が出力されず、かつ、上記第２のフォトカプラから信号が出力されたときには、正常を表す信号を出力し、上記第１のフォトカプラおよび上記第２のフォトカプラから信号が出力されたとき、および、上記第１のフォトカプラおよび上記第２のフォトカプラから信号が出力されていないときには、異常を表す信号を出力するようにしたものである。
【００２４】
また、本発明は、上記した発明において、さらに、上記第１のフォトカプラに対して直列あるいは並列に配設されるとともに、上記ドライブ回路から出力される駆動信号により発光するＬＥＤとを有するようにしたものである。
【００２５】
また、本発明は、複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、第１のドライブ回路から駆動信号が出力される上記第１のトランジスタのゲート−エミッタ間に配設され、上記第１のドライブ回路から出力される駆動信号を入力すると信号を出力する第１のフォトカプラと、上記第１のドライブ回路から駆動信号が出力される上記第１のトランジスタのコレクタ−エミッタ間に配設され、上記第１のトランジスタのコレクタから出力されるコレクタ信号を入力すると信号を出力する第２のフォトカプラと、上記第１のフォトカプラと上記第２のフォトカプラとが接続される第１の排他的論理和回路と、上記第１のドライブ回路と全く異なったタイミングで駆動信号を出力する第２のドライブ回路から駆動信号が出力される第２のトランジスタのゲート−エミッタ間に配設され、上記第２のドライブ回路から出力される駆動信号を入力すると信号を出力する第３のフォトカプラと、上記第２のドライブ回路から駆動信号が出力される上記第２のトランジスタのコレクタ−エミッタ間に配設され、上記第２のトランジスタのコレクタから出力されるコレクタ信号を入力すると信号を出力する第４のフォトカプラと、上記第３のフォトカプラと上記第４のフォトカプラとが接続される第２の排他的論理和回路と、上記第１のフォトカプラと上記第３のフォトカプラとが接続される論理和回路とを有し、上記第１の排他的論理和回路は、上記第１のフォトカプラから信号が出力され、かつ、上記第２のフォトカプラから信号が出力されていないとき、および、上記第１のフォトカプラから信号が出力されず、かつ、上記第２のフォトカプラから信号が出力されたときには、正常を表す信号を出力し、上記第１のフォトカプラおよび上記第２のフォトカプラから信号が出力されたとき、および、上記第１のフォトカプラおよび上記第２のフォトカプラから信号が出力されていないときには、異常を表す信号を出力し、上記第２の排他的論理和回路は、上記第３のフォトカプラから信号が出力され、かつ、上記第４のフォトカプラから信号が出力されていないとき、および、上記第３のフォトカプラから信号が出力されず、かつ、上記第４のフォトカプラから信号が出力されたときには、正常を表す信号を出力し、上記第３のフォトカプラおよび上記第４のフォトカプラから信号が出力されたとき、および、上記第３のフォトカプラおよび上記第４のフォトカプラから信号が出力されていないときには、異常を表す信号を出力し、上記論理和回路は、上記第１のフォトカプラから信号が出力され、かつ、上記第３のフォトカプラから信号が出力されていないとき、および、上記第１のフォトカプラから信号が出力されず、かつ、上記第３のフォトカプラから信号が出力されたときには、正常を表す信号を出力し、上記第１のフォトカプラおよび上記第３のフォトカプラから信号が出力されたとき、および、上記第１のフォトカプラおよび上記第３のフォトカプラから信号が出力されていないときには、異常を表す信号を出力するようにしたものである。
【００２６】
また、本発明は、複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、第１のドライブ回路から駆動信号が出力される上記第１のトランジスタのゲート−エミッタ間に配設され、上記第１のドライブ回路から出力される駆動信号を入力すると信号を出力する第１のフォトカプラと、上記第１のドライブ回路から駆動信号が出力される上記第１のトランジスタのコレクタ−エミッタ間に配設され、上記第１のトランジスタのコレクタから出力されるコレクタ信号を入力すると信号を出力する第２のフォトカプラと、上記第１のフォトカプラと上記第２のフォトカプラとが接続される第１の排他的論理和回路と、上記第１のドライブ回路と一致したタイミングで駆動信号を出力する第２のドライブ回路から駆動信号が出力される第２のトランジスタのゲート−エミッタ間に配設され、上記第２のドライブ回路から出力される駆動信号を入力すると信号を出力する第３のフォトカプラと、上記第２のドライブ回路から駆動信号が出力される上記第２のトランジスタのコレクタ−エミッタ間に配設され、上記第２のトランジスタのコレクタから出力されるコレクタ信号を入力すると信号を出力する第４のフォトカプラと、上記第３のフォトカプラと上記第４のフォトカプラとが接続される第２の排他的論理和回路と、上記第１のフォトカプラと上記第３のフォトカプラとが接続される論理和回路とを有し、上記第１の排他的論理和回路は、上記第１のフォトカプラから信号が出力され、かつ、上記第２のフォトカプラから信号が出力されていないとき、および、上記第１のフォトカプラから信号が出力されず、かつ、上記第２のフォトカプラから信号が出力されたときには、正常を表す信号を出力し、上記第１のフォトカプラおよび上記第２のフォトカプラから信号が出力されたとき、および、上記第１のフォトカプラおよび上記第２のフォトカプラから信号が出力されていないときには、異常を表す信号を出力し、上記第２の排他的論理和回路は、上記第３のフォトカプラから信号が出力され、かつ、上記第４のフォトカプラから信号が出力されていないとき、および、上記第３のフォトカプラから信号が出力されず、かつ、上記第４のフォトカプラから信号が出力されたときには、正常を表す信号を出力し、上記第３のフォトカプラおよび上記第４のフォトカプラから信号が出力されたとき、および、上記第３のフォトカプラおよび上記第４のフォトカプラから信号が出力されていないときには、異常を表す信号を出力し、上記論理和回路は、上記第１のフォトカプラおよび上記第３のフォトカプラから信号が出力されたとき、および、上記第１のフォトカプラおよび上記第３のフォトカプラから信号が出力されていないときには、正常を表す信号を出力し、上記第１のフォトカプラから信号が出力され、かつ、上記第３のフォトカプラから信号が出力されていないとき、および、上記第１のフォトカプラから信号が出力されず、かつ、上記第３のフォトカプラから信号が出力されたときには、異常を表す信号を出力するようにしたものである。
【００２７】
また、本発明は、上記した発明において、さらに、上記第１のフォトカプラに対して直列あるいは並列に配設されるとともに、上記第１のドライブ回路から出力される駆動信号により発光する第１のＬＥＤと、上記第３のフォトカプラに対して直列あるいは並列に配設されるとともに、上記第２のドライブ回路から出力される駆動信号により発光する第２のＬＥＤとを有するようにしたものである。
【００２８】
また、本発明は、複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、上記ドライブ回路の出力部に設けられたゲート抵抗の信号入力側に配設され、上記ドライブ回路から出力された駆動信号が入力すると信号を出力する第１のフォトカプラと、上記ドライブ回路の出力部に設けられた上記ゲート抵抗の信号出力側に配設され、上記ドライブ回路から出力された駆動信号が入力すると信号を出力する第２のフォトカプラと、上記第２のフォトカプラに接続された否定回路と、上記第１のフォトカプラおよび上記否定回路に接続された論理和回路とを有し、上記否定回路は、上記第２のフォトカプラから信号が出力されると、上記論理和回路に信号を出力し、上記第２のフォトカプラから信号が出力されないと、上記論理和回路に信号を出力せず、上記論理和回路は、上記第１のフォトカプラから信号が出力され、かつ、上記否定回路から信号が出力されないとき、および、上記第１のフォトカプラから信号が出力されず、かつ、上記否定回路から信号が出力されたときには、正常を表す信号を出力し、上記第１のフォトカプラから信号が出力されない、上記否定回路から信号が出力されたときには、異常を表す信号を出力するようにしたものである。
【００２９】
また、本発明は、上記した発明において、さらに、上記第１のフォトカプラに対して直列あるいは並列に配設されるとともに、上記ドライブ回路から出力される駆動信号により発光するＬＥＤとを有するようにしたものである。
【発明の効果】
【００３０】
本発明は、以上説明したように構成されているので、作業者が容易に故障したトランジスタを特定することができるという優れた効果を奏するものである。
【図面の簡単な説明】
【００３１】
【図１】図１は、トランジスタとドライブ回路とが接続された状態を示す説明図である。
【図２】図２は、本発明の第１の実施の形態による故障検知回路がトランジスタおよびドライブ回路に接続された状態を示す説明図である。
【図３】図３は、本発明の第２の実施の形態による故障検知回路がトランジスタおよびドライブ回路に接続された状態を示す説明図である。
【図４】図４は、本発明の第３の実施の形態による故障検知回路がトランジスタおよびドライブ回路に接続された状態を示す説明図である。
【図５】図５は、本発明の第４の実施の形態による故障検知回路がトランジスタおよびドライブ回路に接続された状態を示す説明図である。
【図６】図６は、本発明の第５の実施の形態による故障検知回路がトランジスタおよびドライブ回路に接続された状態を示す説明図である。
【図７】図７（ａ）（ｂ）は、本発明の変形例を示す説明図である。
【図８】図８（ａ）（ｂ）は、本発明の変形例を示す説明図である。
【図９】図９（ａ）（ｂ）は、本発明の変形例を示す説明図である。
【図１０】図１０（ａ）（ｂ）は、本発明の変形例を示す説明図である。
【図１１】図１１は、本発明の変形例を示す説明図である。
【図１２】図１２（ａ）（ｂ）は、本発明の変形例を示す説明図である。
【図１３】図１３（ａ）（ｂ）は、本発明の変形例を示す説明図である。
【発明を実施するための形態】
【００３２】
以下、添付の図面を参照しながら、本発明による故障検知回路の実施の形態の一例を詳細に説明するものとする。
【００３３】
まず、図２を参照しながら、本発明による故障検知回路の第１の実施の形態について説明する。
【００３４】
図２には、本発明の第１の実施の形態による故障検知回路がトランジスタおよびドライブ回路に接続された状態を示す説明図が示されている。なお、図２においては、本発明の理解を容易にするために、２つのトランジスタに故障検知回路を介してドライブ回路がそれぞれ接続された状態を示している。
【００３５】
この図２に示す故障検知回路１０としては、高周波電源に配設されたインバータ素子１２に設けられた複数のトランジスタ（ＩＧＢＴ）１４と、複数のトランジスタ１４に駆動信号を出力する複数のドライブ回路１６との間に、発光ダイオード（ＬＥＤ：Ｌｉｇｈｔ
Ｅｍｉｔｔｉｎｇ Ｄｉｏｄｅ）１８を配設するようにしたものである。
【００３６】
このＬＥＤ１８はトランジスタ１４のゲート−エミッタ間に配設され、ドライブ回路１６からトランジスタ１４を駆動するための駆動信号が出力されると、この駆動信号の一部がＬＥＤ１８に入力され、入力した駆動信号によりＬＥＤ１８が発光することとなる。
【００３７】
以上の構成において、高周波電源を駆動する際には、ドライブ回路１６からトランジスタ１４に対して駆動信号が出力されるが、この駆動信号は、その一部が故障検知回路１０におけるＬＥＤ１８に流れて、ＬＥＤ１８を点灯（または点滅）することとなる。
【００３８】
ここで、トランジスタ１４に短絡などの故障が生じた場合には、トランジスタ１４の直流入力側に設けられた過電流防止回路（図示せず。）が作動し、故障が生じたトランジスタ１４に駆動信号を出力するドライブ回路１６の駆動を停止し、トランジスタ１４へのメイン回路（トランジスタに入力される直流回路である。）がヒューズ（図示せず。）や電磁接触器（図示せず。）により遮断される。
【００３９】
そして、ドライブ回路１６の駆動が停止され、トランジスタ１４への駆動信号の出力が停止されると、ＬＥＤ１８は消灯することとなる。
【００４０】
その後、作業者は、高周波電源を停止し、故障検知回路１０を作業者が目視可能な状態として、チェックモードを起動する。
【００４１】
このチェックモードとは、トランジスタ１４へのメイン回路は遮断したままで、ドライブ回路１６を動作させ、ドライブ回路１６から駆動信号をトランジスタ１４に出力するモードである。
【００４２】
チェックモードを起動すると、ドライブ回路１６から駆動信号がトランジスタ１４へ出力されるが、このとき、故障が生じていないトランジスタ１４には駆動信号が入力されるため、故障が生じていないトランジスタ１４に接続されたＬＥＤ１８は点灯（または点滅）する。一方、故障が生じたトランジスタ１４のゲートには、駆動信号が現れなくなる（正確には、ＬＥＤ１８の閾値電圧以下になる）ため、故障が生じたトランジスタ１４に接続されたＬＥＤ１８は消灯する。
【００４３】
なお、この故障検知回路１０においては、ドライブ回路１６に故障が生じてドライブ回路１６から駆動信号が出力されなくなった場合にも、故障を検知することができる。
【００４４】
即ち、ドライブ回路１６に故障が生じてドライブ回路１６から駆動信号が出力されなくなった場合には、トランジスタ１４への駆動信号が出力されないため、ＬＥＤ１８が消灯する。
【００４５】
そして、作業者は、高周波電源を停止し、故障検知回路１０を作業者が目視可能な状態として、チェックモードを起動する。
【００４６】
チェックモードが起動すると、故障していないドライブ回路１６からは駆動信号がトランジスタ１４へ出力されるため、故障が生じていないドライブ回路１６に接続されたＬＥＤ１８は点灯（または点滅）する。一方、故障が生じたドライブ回路１６からは駆動信号が出力されないため、故障が生じたドライブ回路１６に接続されたＬＥＤ１８は消灯する。
【００４７】
従って、故障検知回路１０においては、作業者は、このチェックモードにおいて、点灯（または点滅）しているＬＥＤ１８に接続されているトランジスタ１４およびドライブ回路１６に対しては、故障が生じていないと判断し、消灯しているＬＥＤ１８に接続されているトランジスタ１４およびドライブ回路１６に対しては、故障が生じていると判断する。
【００４８】
その後、作業者は、接続されたＬＥＤ１８が消灯しているドライブ回路１６およびトランジスタ１４のどちらに故障が生じているのかを確認することとなる。
【００４９】
このように、高周波電源に設けられたドライブ回路１６とトランジスタ１４との間において、トランジスタ１４のゲート−エミッタ間にＬＥＤ１８を備えることにより故障検知回路１０を構成するようにし、ドライブ回路１６から出力される駆動信号を利用してＬＥＤ１８を発光するようにした。
【００５０】
そして、作業者がチェックモードを起動することにより、故障検知回路１０に接続されたトランジスタ１４およびドライブ回路１６の両方に故障が生じていない場合には、故障検知回路１０のＬＥＤ１８が点灯（または点滅）した状態となる。一方、故障検知回路１０に接続されたトランジスタ１４およびドライブ回路１６の少なくともどちらか一方に故障が生じた場合には、故障検知回路１０のＬＥＤ１８が消灯した状態となる。
【００５１】
このため、作業者は、チェックモードにより、故障検知装置１０におけるＬＥＤ１８の発光状態を確認することによって、複数配設されたトランジスタ１４およびドライブ回路１６のうちで、どのトランジスタ１４およびドライブ回路に故障が生じているのかを容易に確認することができるようになる。
【００５２】
次に、図３を参照しながら、本発明による故障検知回路の第２の実施の形態について説明する。
【００５３】
図３には、本発明の第２の実施の形態による故障検知回路がトランジスタおよびドライブ回路に接続された状態を示す説明図が示されている。なお、図３においては、本発明の理解を容易にするために、２つのトランジスタに故障検知回路を介してドライブ回路がそれぞれ接続された状態を示している。
【００５４】
この図３に示す故障検知回路２０は、高周波電源に配設されたインバータ素子１２に設けられた複数のトランジスタ（ＩＧＢＴ）１４と、複数のトランジスタ１４に対して駆動信号を出力するドライブ回路１６との間において、フォトカプラ２２を配設するようにしたものである。なお、フォトカプラ２２は、例えば、アラーム保持回路などの周辺回路（図示せず。）に接続されており、この周辺回路は、表示装置（図示せず。）に表示されている。
【００５５】
周辺回路（図示せず。）には、接続されたフォトカプラ２２を特定する情報が記憶されており、フォトカプラ２２から信号が出力されなくなると、当該フォトカプラ２２を特定する情報を表示装置（図示せず。）に出力する。
【００５６】
また、表示装置（図示せず。）は、各フォトカプラ２２に接続されたトランジスタ１４およびドライブ回路１６が記憶されており、周辺回路（図示せず。）から出力されたフォトカプラ２２を特定する情報に基づいて、当該フォトカプラ２２に接続されたトランジスタ１４およびドライブ回路１６を表示する。
【００５７】
このフォトカプラ２２はトランジスタ１４のゲート−エミッタ間に配設され、ドライブ回路１６からトランジスタ１４を駆動するための駆動信号が出力されると、この駆動信号の一部がフォトカプラ２２の発光素子２４に入力されて、発光素子２４が点灯（または点滅）する。
【００５８】
すると、フォトカプラ２２においては、発光素子２４による発光により受光素子２６が導通して、接続された周辺回路（図示せず。）に信号を出力する。
【００５９】
つまり、ドライブ回路１６から駆動信号が出力されるとフォトカプラ２２から周辺回路（図示せず。）に信号が出力されることとなる。
【００６０】
以上の構成において、高周波電源を駆動する際には、ドライブ回路１６からトランジスタ１４に対して駆動信号が出力されるが、この駆動信号は、その一部が故障検知回路２０のフォトカプラ２２に流れてフォトカプラ２２から信号を出力することとなる。
【００６１】
ここで、トランジスタ１４のゲートに短絡などの故障が生じた場合には、フォトカプラ２２に駆動信号が入力されなくなる。
【００６２】
すると、フォトカプラ２２から周辺回路（図示せず。）に対して信号が出力されなくなり、これにより、当該周辺回路により、信号が出力されなくなったフォトカプラ２２に接続されたドライブ回路１６の駆動を停止するとともに、表示装置（図示せず。）に信号が出力されなくなったフォトカプラ２２を特定する情報を出力する。
【００６３】
ここで、故障が生じたトランジスタ１４に接続されたドライブ回路１６は、通常、周辺回路（図示せず。）により停止されるものであるが、応答速度の差によって、過電流防止回路（図示せず。）により停止されることもある。
【００６４】
つまり、トランジスタ１４に故障が生じると、トランジスタ１４の直流入力側に設けられた過電流防止回路（図示せず。）が作動し、故障が生じたトランジスタ１４に駆動信号を入力するドライブ回路１６の駆動を停止する。
【００６５】
即ち、トランジスタ１４に故障が生じると、故障が生じたトランジスタ１４に接続されたドライブ回路１６は、周辺回路（図示せず。）または過電流防止回路（図示せず。）により停止されることとなる。
【００６６】
なお、この故障検知回路２０においては、ドライブ回路１６に故障が生じてドライブ回路１６から駆動信号が出力されなくなった場合にも、故障を検知することができる。
【００６７】
即ち、ドライブ回路１６に故障が生じてドライブ回路１６から駆動信号が出力されなくなった場合には、トランジスタ１４への駆動信号が出力されなくなるため、フォトカプラ２２から信号が出力されなくなる。
【００６８】
すると、フォトカプラ２２から周辺回路（図示せず。）に対して信号が出力されなくなり、当該周辺回路から、例えば、表示装置（図示せず。）に信号が出力されなくなったフォトカプラ２２を特定する情報を出力する。
【００６９】
表示装置（図示せず。）においては、信号が出力されなくなったフォトカプラ２２を特定する情報に基づいて、当該フォトカプラ２２に接続されたトランジスタ１４およびドライブ回路１６を特定可能な表示を行う。
【００７０】
作業者は、表示装置（図示せず。）に表示された表示内容を確認して、故障が生じたトランジスタ１４およびドライブ回路１６を特定する。
【００７１】
その後、作業者は、表示装置（図示せず。）に表示されたトランジスタ１４およびドライブ回路１６のどちらに故障が生じているのかを確認することとなる。
【００７２】
このように、高周波電源に設けられたドライブ回路１６とトランジスタ１４との間において、トランジスタ１４のゲート−エミッタ間にフォトカプラ２２を備えることにより故障検知回路２０を構成するようにし、ドライブ回路１６から出力される駆動信号を利用してフォトカプラ２２から信号を出力するようにした。
【００７３】
これにより、故障検知回路２０では、故障検知回路２０に接続されたトランジスタ１４およびドライブ回路１６の両方に故障が生じていない場合には、故障検知回路２０のフォトカプラ２２から信号が出力さる。一方、故障検知回路２０に接続されたトランジスタ１４およびドライブ回路１６の少なくともどちらか一方に故障が生じた場合には、故障検知回路２０のフォトカプラ２２から信号が出力されなくなる。
【００７４】
フォトカプラ２２から信号が出力されなくなると、周辺回路（図示せず。）から信号が出力されなくなったフォトカプラ２２を特定する情報が表示装置（図示せず。）に出力される。
【００７５】
その後、表示装置（図示せず。）においては、入力されたフォトカプラ２２を特定する情報に基づいて、当該フォトカプラ２２に接続されたトランジスタ１４およびドライブ回路１６を特定可能な表示を行う。
【００７６】
このため、作業者は、この表示装置に表示された表示内容を確認することにより、どのトランジスタ１４およびドライブ回路１６に故障が生じているのかを容易に確認することができるようになる。
【００７７】
次に、図４を参照しながら、本発明による故障検知回路の第３の実施の形態について説明する。
【００７８】
図４には、本発明の第３の実施の形態による故障検知回路がトランジスタおよびドライブ回路に接続された状態を示す説明図が示されている。なお、図４においては、本発明の理解を容易にするために、２つのトランジスタに故障検知回路を介してドライブ回路がそれぞれ接続された状態を示している。
【００７９】
この図４に示す故障検知回路３０は、高周波電源に配設されたインバータ素子１２に設けられた複数のトランジスタ（ＩＧＢＴ）１４と、複数のトランジスタ１４に対して駆動信号を出力する複数のドライブ回路１６との間において、フォトカプラ３２を配設するとともに、互いに全く異なるタイミングで駆動信号を出力する２つのドライブ回路１６に接続された２つのフォトカプラ３２を論理和回路（ＯＲ回路）３８に接続するようにしたものである。
【００８０】
このフォトカプラ３２はトランジスタ１４のゲート−エミッタ間に配設され、ドライブ回路１６からトランジスタ１４を駆動するための駆動信号が出力されると、この駆動信号の一部がフォトカプラ３２の発光素子３４に入力されて、発光素子３４が点灯（または点滅）する。
【００８１】
すると、フォトカプラ３２においては、発光素子３４による発光により受光素子３６が導通して、接続された論理和回路３８に信号を出力する。
【００８２】
つまり、ドライブ回路１６から駆動信号が出力されるとフォトカプラ３２から論理和回路３８に対して信号が出力されることとなる。
【００８３】
また、論理和回路３８は、一方のフォトカプラ３２から信号が出力され、かつ、他方のフォトカプラ３２から信号が出力されないとき、および、一方のフォトカプラ３２から信号が出力されず、かつ、他方のフォトカプラ３２から信号が出力されたときには、正常を表す信号を出力する。
【００８４】
さらに、論理和回路３８は、一方のフォトカプラ３２から信号が出力され、かつ、他方のフォトカプラ３２からも信号が出力されたとき、および、一方のフォトカプラ３２から信号が出力されず、かつ、他方のフォトカプラ３２からも信号が出力されないときには、異常を表す信号を出力する。
【００８５】
なお、論理和回路３８は、例えば、表示装置（図示せず。）に接続されており、この表示装置に対して、正常を表す信号、異常を表す信号とともに、論理和回路３８を特定する情報を出力する。
【００８６】
この表示装置（図示せず。）には、論理和回路３８に接続されたトランジスタ１４およびドライブ回路１６が記憶されている。そして、表示装置（図示せず。）は、入力された論理和回路３８を特定する情報に基づいて、当該論理和回路３８に接続されたトランジスタ１４およびドライブ回路１６を特定可能な表示を行う。
【００８７】
以上の構成において、高周波電源を駆動する際には、ドライブ回路１６からトランジスタ１４に対して駆動信号が出力されるが、この駆動信号は、その一部が故障検知回路３０のフォトカプラ３２に流れてフォトカプラ３２から論理和回路３８に信号を出力することとなる。
【００８８】
このとき、論理和回路３８には、互いに全く異なるタイミングで駆動信号を出力するドライブ回路１６に接続された２つのフォトカプラ３２が接続されているため、論理和回路３８においては、常に、どちらかのフォトカプラ３２から信号が入力されていることとなり、正常を表す信号を表示装置（図示せず。）に出力する。
【００８９】
ここで、トランジスタ１４に故障が生じると、全く異なるタイミングで論理和回路３８に入力される２つフォトカプラ３２からの信号が同期する瞬間が生じる。
【００９０】
そして、トランジスタ１４に故障が生じると、論理和回路３８においては、両方のフォトカプラ３２から信号が出力される、あるいは、両方のフォトカプラ３２から信号が出力されなくなるため、異常を表す信号を表示装置（図示せず。）に出力する。このとき、論理和回路３８からは論理和回路３８を特定する情報も出力される。
【００９１】
なお、この故障検知回路３０においては、ドライブ回路１６に故障が生じてドライブ回路１６から駆動信号が出力されなくなった場合にも、故障を検知することができる。
【００９２】
即ち、ドライブ回路１６に故障が生じてドライブ回路１６から駆動信号が出力されなくなった場合には、全く異なるタイミングで論理和回路２８に入力される２つのフォトカプラ３２から信号が出力されない瞬間が生じる。
【００９３】
このようしてドライブ回路１６に故障が生じると、論理和回路３８においては、両方のフォトカプラ３２から信号が出力されなくなるため、異常を表す信号を表示装置（図示せず。）に出力する。このとき、論理和回路３８からは論理和回路３８を特定する情報も出力される。
【００９４】
そして、表示装置（図示せず。）に異常を表す信号および論理和回路３８を特定する情報が入力されると、当該表示装置において、異常を表す信号を出力した論理和回路３８を特定し、特定した論理和回路３８に接続されたフォトカプラ３２に接続されているトランジスタ１４およびドライブ回路１６を特定することが可能な表示を行う。
【００９５】
つまり、表示装置（図示せず。）においては、各論理和回路３８に接続されたフォトカプラ３２に接続されているトランジスタ１４およびドライブ回路１６が記憶されており、異常を表す信号を出力した論理和回路３８が特定されると、特定した論理和回路３８に接続されたフォトカプラ３２に接続されている２つのトランジスタ１４および２つのドライブ回路１６を、故障が生じたトランジスタ１４およびドライブ回路１６として特定可能な表示を行うこととなる。
【００９６】
その後、作業者は、この表示装置（図示せず。）に表示された表示内容を確認すると、高周波電源を停止し、当該表示装置に表示されたトランジスタ１４およびドライブ回路１６に対して故障発生の有無について確認する。
【００９７】
なお、一方のフォトカプラ３２と他方のフォトカプラ３２とにおける立ち上がり時間による不要パルス出力の発生は、パルス除去回路（ＣＲ回路、ワンショットＩＣなど）により防止することができる。
【００９８】
このように、高周波電源に設けられたドライブ回路１６とトランジスタ１４との間において、トランジスタ１４のゲート−エミッタ間にフォトカプラ３２を配設するとともに、互いに全く異なるタイミングで駆動信号を出力する２つのドライブ回路１６に接続された２つのフォトカプラ３２を論理和回路３８に接続するようにして故障検知回路３０を構成するようにした。
【００９９】
そして、ドライブ回路１６から出力される駆動信号を利用してフォトカプラ３２から信号を出力するようにした。
【０１００】
さらに、論理和回路３８では、２つのフォトカプラ３２のいずれか一方から信号が出力されたときには、正常を表す信号を出力し、２つのフォトカプラ３２の両方から信号が出力された、あるいは、２つのフォトカプラ３２の両方から信号が出力されなかったときには、異常を表す信号を出力するようにした。
【０１０１】
これにより、故障検知回路３０では、故障検知回路３０に接続された２つのトランジスタ１４および２つのドライブ回路１６の全てに故障が生じていない場合には、論理和回路３８から正常を表す信号が出力され、故障検知回路３０に接続された２つのトランジスタ１４および２つのドライブ回路１６の少なくともいずれか１つに故障が生じた場合には、論理和回路３８から異常を表す信号が出力される。
【０１０２】
そして、論理和回路３８から異常を表す信号が表示装置（図示せず。）に出力されると、この表示装置において、故障が生じた２つのトランジスタ１４および２つのドライブ回路１６を特定可能な表示がなされる。
【０１０３】
つまり、この故障検知回路３０においては、故障検知回路３０に接続されたトランジスタ１４、ドライブ回路１６に故障が生じた場合には、論理和回路３８から異常を表す信号を出力するようにしたものである。
【０１０４】
そして、この異常を表す信号に基づいて、表示装置（図示せず。）に故障が生じたトランジスタ１４およびドライブ回路１６を表示するようにした。
【０１０５】
このため、作業者は、この表示装置に表示された表示内容を確認することにより、どこのトランジスタ１４およびドライブ回路１６に故障が生じているのかを容易に確認することができるようになる。
【０１０６】
また、故障検知回路３０においては、上記した故障検知回路１０や故障検知回路２０よりも早く故障が生じたトランジスタ１４およびドライブ回路１６を検知することができる。
【０１０７】
次に、図５を参照しながら、本発明による故障検知回路の第４の実施の形態について説明する。
【０１０８】
図５には、本発明の第４の実施の形態による故障検知回路がトランジスタおよびドライブ回路に接続された状態を示す説明図が示されている。なお、図５においては、本発明の理解を容易にするために、２つのトランジスタに故障検知回路を介してドライブ回路がそれぞれ接続された状態を示している。
【０１０９】
この図５に示す故障検知回路４０は、高周波電源に配設されたインバータ素子１２に設けられた複数のトランジスタ（ＩＧＢＴ）１４と、複数のトランジスタ１４に対して駆動信号を出力する複数のドライブ回路１６との間において、トランジスタ１４のゲート−エミッタ間にフォトカプラ４２を配設するとともに、トランジスタ１４のコレクタ−エミッタ間にフォトカプラ５２を配設するようにし、フォトカプラ４２とフォトカプラ５２とを排他的論理和回路（ＥＸＯＲ回路）４８に接続するようにしたものである。
【０１１０】
このフォトカプラ４２は、ドライブ回路１６からトランジスタ１４を駆動するための駆動信号が出力されると、この駆動信号の一部がフォトカプラ４２の発光素子４４に入力されて、発光素子４４が点灯（または点滅）する。
【０１１１】
すると、フォトカプラ４２においては、発光素子４４による発光により受光素子４６が導通して、接続された排他的論理和回路４８に信号を出力する。
【０１１２】
つまり、ドライブ回路１６から駆動信号が出力されると、フォトカプラ４２から排他的論理和回路４８に対して信号が出力されることとなる。
【０１１３】
また、フォトカプラ５２は、トランジスタ１４におけるコレクタからコレクタ信号が出力されると、このコレクタ信号がフォトカプラ５２の発光素子５４に入力されて、発光素子５４が点灯（または点滅）する。
【０１１４】
すると、フォトカプラ５２においては、発光素子５４による発光により受光素子５６が導通して、接続された排他的論理和回路４８に信号を出力する。
【０１１５】
つまり、トランジスタ１４のコレクタからコレクタ信号が出力されると、フォトカプラ５２から排他的論理和回路４８に対して信号が出力されることとなる。
【０１１６】
また、排他的論理和回路４８は、フォトカプラ４２から信号が出力され、かつ、フォトカプラ５２から信号が出力されないとき、および、フォトカプラ４２から信号が出力されず、かつ、フォトカプラ５２から信号が出力されたときには、正常を表す信号を出力する。
【０１１７】
さらに、排他的論理和回路４８においては、フォトカプラ４２から信号が出力され、かつ、フォトカプラ５２からも信号が出力されたとき、および、フォトカプラ４２から信号が出力されず、かつ、フォトカプラ５２からも信号が出力されないときには、異常を表す信号を出力する。
【０１１８】
なお、排他的論理和回路４８は、例えば、表示装置（図示せず。）に接続されており、この表示装置に対して、正常を表す信号、異常を表す信号とともに、排他的論理和回路４８を特定する情報を出力する。
【０１１９】
この表示装置（図示せず。）には、排他的論理和回路４８に接続されたトランジスタ１４およびドライブ回路１６が記憶されている。そして、表示装置（図示せず。）は、入力された排他的論理和回路４８を特定する情報に基づいて、当該排他的論理和回路４８に接続されたトランジスタ１４およびドライブ回路１６を特定可能な表示を行う。
【０１２０】
以上の構成において、高周波電源を駆動する際には、ドライブ回路１６からトランジスタ１４に対して駆動信号が出力されるが、この駆動信号は、その一部が故障検知回路４０のフォトカプラ４２に流れてフォトカプラ４２から排他的論理和回路４８に信号を出力する。
【０１２１】
さらに、トランジスタ１４に駆動信号が入力されると、コレクタからコレクタ信号が出力され、出力されたコレクタ信号はフォトカプラ５２に入力されてフォトカプラ５２から排他的論理和回路４８に信号を出力する。
【０１２２】
このとき、排他的論理和回路４８では、トランジスタ１４のゲートに駆動信号が入力されるタイミングと、トランジスタ１４のコレクタからコレクタ信号が出力されるタイミングが異なっているため、排他的論理和回路４８においては、フォトカプラ４２とフォトカプラ４４とから常に異なるタイミングで信号が入力されることとなり、正常を表す信号を表示装置（図示せず。）に出力する。
【０１２３】
ここで、トランジスタ１４に故障が生じると、常に異なるタイミングで排他的論理和回路４８に入力されるフォトカプラ４２からの信号とフォトカプラ５２からの信号とが同期する瞬間が生じる。
【０１２４】
そして、トランジスタ１４に故障が生じると、排他的論理和回路４８においては、フォトカプラ４２とフォトカプラ５２とから信号が出力されるため、異常を表す信号を表示装置（図示せず。）に出力する。このとき、排他的論理和回路４８からは排他的論理和回路４８を特定する情報も出力される。
【０１２５】
なお、この故障検知回路４０においては、ドライブ回路１６に故障が生じてドライブ回路１６から駆動信号が出力されなくなった場合にも、故障を検知することができる。
【０１２６】
即ち、ドライブ回路１６に故障が生じてドライブ回路１６から駆動信号が出力されなくなった場合には、常に異なるタイミングで排他的論理和回路４８に入力されるフォトカプラ４２からの信号とフォトカプラ５２からの信号とが、排他的論理和回路４８に入力されない瞬間が生じる。
【０１２７】
このようにしてドライブ回路１６に故障が生じると、排他的論理和回路４８においては、フォトカプラ４２とフォトカプラ５２とから信号が出力されなくなるため、異常を表す信号を表示装置（図示せず。）に出力する。このとき排他的論理和回路４８からは排他的論理和回路４８を特定する情報も出力される。
【０１２８】
そして、表示装置（図示せず。）に異常を表す信号および排他的論理和回路４８を特定する情報が入力されると、当該表示装置において、異常を表す信号を出力した排他的論理和回路４８を特定し、特定した排他的論理和回路４８に接続されたフォトカプラ４２、５２に接続されているトランジスタ１４およびドライブ回路１６を特定することが可能な表示を行う。
【０１２９】
つまり、表示装置（図示せず。）においては、各排他的論理和回路４８に接続されたフォトカプラ４２、５２に接続されているトランジスタ１４およびドライブ回路１６が記憶されており、異常を表す信号を出力した排他的論和回路４８が特定されると、特定した排他的論理和回路４８に接続されたフォトカプラ４２、５２に接続されているトランジスタ１４およびドライブ回路１６を、故障が生じたトランジスタ１４およびドライブ回路１６として特定可能な表示を行うこととなる。
【０１３０】
その後、作業者は、この表示装置（図示せず。）に表示された表示内容を確認すると、高周波電源を停止し、当該表示装置に表示されたトランジスタ１４およびドライブ回路１６に対して、故障発生の有無について確認する。
【０１３１】
なお、フォトカプラ４２やフォトカプラ５２における立ち上がり時間や立ち下がり時間による不要パルス出力の発生は、パルス除去回路（ＣＲ回路、ワンショットＩＣなど）により防止することができる。
【０１３２】
このように、高周波電源に設けられたドライブ回路１６とトランジスタ１４との間において、トランジスタ１４のゲート−エミッタ間にフォトカプラ４２を配設するとともに、トランジスタ１４のコレクタ−エミッタ間にフォトカプラ５２を配設するようにし、フォトカプラ４２とフォトカプラ５２とを排他的論理和回路４８に接続するようにして故障検知回路４０を構成するようにした。
【０１３３】
そして、ドライブ回路１６から出力される駆動信号を利用してフォトカプラ４２から信号を出力するようにするとともに、トランジスタ１４のコレクタから出力されるコレクタ信号を利用してフォトカプラ５２から信号を出力するようにした。
【０１３４】
さらに、排他的論理和回路４８では、フォトカプラ４２、５２のいずれか一方から信号が出力されたときには、正常を表す信号を出力し、フォトカプラ４２、５２の両方から信号が出力された、あるいは、両方から信号が出力されなかったときには、異常を表す信号を出力するようにした。
【０１３５】
これにより、故障検知回路４０では、故障検知回路４０に接続されたトランジスタ１４およびドライブ回路１６の両方に故障が生じていない場合には、排他的論理和回路４８から正常を表す信号が出力され、故障検知回路４０に接続されたトランジスタ１４およびドライブ回路１６の少なくともいずれか一方に故障が生じた場合には、排他的論理和回路４８から異常を表す信号が出力される。
【０１３６】
そして、排他的論理和回路４８から異常を表す信号が表示装置（図示せず。）に出力されると、この表示装置において、故障が生じたトランジスタ１４およびドライブ回路１６を特定可能な表示がなされる。
【０１３７】
つまり、この故障検知回路４０においては、故障検知回路４０に接続されたトランジスタ１４、ドライブ回路１６に故障が生じた場合には、排他的論理和回路４８から異常を表す信号を出力するようにしたものである。
【０１３８】
そして、この異常を表す信号に基づいて、表示装置（図示せず。）に故障が生じたトランジスタ１４およびドライブ回路１６を表示するようにした。
【０１３９】
このため、作業者は、この表示装置に表示された表示内容を確認することにより、どこのトランジスタ１４およびドライブ回路１６に故障が生じているのかを容易に確認することができるようになる。
【０１４０】
また、この故障検知回路４０においては、上記した故障検知回路１０や故障検知回路２０よりも早く故障が生じたトランジスタ１４およびドライブ回路１６を検知することができる。
【０１４１】
次に、図６を参照しながら、本発明による故障検知回路の第５の実施の形態について説明する。
【０１４２】
図６には、本発明の第５の実施の形態による故障検知回路がトランジスタおよびドライブ回路に接続された状態を示す説明図が示されている。なお、図６においては、本発明の理解を容易にするために、２つのトランジスタに故障検知回路を介してドライブ回路がそれぞれ接続された状態を示している。
【０１４３】
この図６に示す故障検知回路６０は、高周波電源に配設されたインバータ素子１２に設けられた複数のトランジスタ（ＩＧＢＴ）１４と、複数のトランジスタ１４に対して駆動信号を出力する複数のドライブ回路１６との間において、ドライブ回路１６の出力部に設けられたゲート抵抗８２の信号入力側と信号出力側とにおいてフォトカプラ６２、７２を配設するとともに、フォトカプラ６２を論理和回路（ＯＲ回路）８４に接続し、フォトカプラ７２を否定回路（ＮＯＴ回路）８６を介して論理和回路８４に接続するようにしたものである。
【０１４４】
このフォトカプラ６２は、ゲート抵抗８２の信号入力側に設けられており、ドライブ回路１６からトランジスタ１４を駆動するための駆動信号が出力されると、この駆動信号の一部がフォトカプラ６２の発光素子６４に入力されて、発光素子６４が点灯（または点滅）する。
【０１４５】
すると、フォトカプラ６２においては、発光素子６４による発光により受光素子６６が導通して、接続された論理和回路８２に信号を出力する。
【０１４６】
つまり、ドライブ回路１６から駆動信号が出力されるとフォトカプラ６２から論理和回路８４に対して信号が出力されることとなる。
【０１４７】
また、フォトカプラ７２は、ゲート抵抗８２の信号出力側に設けられており、ドライブ回路１６からトランジスタ１４を駆動するための駆動信号が出力されると、この駆動信号の一部がフォトカプラ７２の発光素子７４に入力されて、発光素子７４が点灯（または点滅）する。
【０１４８】
すると、フォトカプラ７２においては、発光素子７４による発光により受光素子７６が導通して、接続された否定回路８６に信号を出力する。
【０１４９】
つまり、ドライブ回路１６から駆動信号が出力されるとフォトカプラ７２から否定回路８６に対して信号が出力されることとなる。
【０１５０】
否定回路８６は、フォトカプラ７２からの信号を入力し、フォトカプラ７２からの信号に基づいて、論理和回路８４に信号を出力する。
【０１５１】
即ち、否定回路８６は、フォトカプラ７２からの信号を入力すると、論理和回路８４に対して信号を出力せず、フォトカプラ７２からの信号を入力しないと、論理和回路８４に対して信号を出力する。
【０１５２】
論理和回路８４は、フォトカプラ６２から信号が出力され、かつ、否定回路８６から信号が出力されない（つまり、フォトカプラ７２から信号が出力された）とき、および、フォトカプラ６２から信号が出力されず、かつ、否定回路８６から信号が出力された（つまり、フォトカプラ７２から信号が出力されない）ときには、正常を表す信号を出力する。
【０１５３】
また、論理和回路８４は、フォトカプラ６２から信号が出力され、かつ、否定回路８６から信号が出力された（つまり、フォトカプラ７２から信号が出力されない）ときには、異常を表す信号を出力する。
【０１５４】
なお、論理和回路８４は、例えば、表示装置（図示せず。）に接続されており、この表示装置に対して、正常を表す信号、異常を表す信号とともに、論理和回路８４を特定する情報を出力する。
【０１５５】
この表示装置（図示せず。）には、論理和回路８４に接続されたトランジスタ１４が記憶されている。そして、表示装置（図示せず。）は、入力された論理和回路８４を特定する情報に基づいて、当該論理和回路８４に接続されたトランジスタ１４を特定可能な表示を行う。
【０１５６】
以上の構成において、高周波電源を駆動する際には、ドライブ回路１６からトランジスタ１４に対して駆動信号が出力されるが、この際に、駆動信号の一部がフォトカプラ６２およびフォトカプラ７２に流れ、フォトカプラ６２から論理和回路８４に信号が出力されるとともに、フォトカプラ７２から否定回路８６に信号が出力される。
【０１５７】
このとき、論理和回路８４には、フォトカプラ６２から信号が出力されるが、否定回路８６から信号が出力されないため、論理和回路８４においては、正常を表す信号を表示装置（図示せず。）に出力する。
【０１５８】
また、ドライブ回路１６からトランジスタ１４に対して駆動信号が出力されていないときには、フォトカプラ６２から論理和回路８４に信号が出力されないとともに、フォトカプラ７２から否定回路８６に信号が出力されない。
【０１５９】
このとき、論理和回路８４には、フォトカプラ６２から信号が出力されず、否定回路８６から信号が出力されるため、論理和回路８４においては、正常を表す信号を表示装置（図示せず。）に出力する。
【０１６０】
ここで、トランジスタ１４のゲート−エミッタ間で短絡などの故障が生じると、フォトカプラ６２からは信号が出力されるが、フォトカプラ７２からは信号が出力されなくなる。
【０１６１】
フォトカプラ７２から信号が出力されなくなると、否定回路８６から論理和回路８４に信号が出力されるようになるため、論理和回路８４においては、フォトカプラ６２から信号が出力され、否定回路８６から信号が出力された状態となる。
【０１６２】
このため、論理和回路８４から異常を表す信号が表示装置（図示せず。）に出力される。このとき、論理和回路８４から論理和回路８４を特定する情報も出力される。
【０１６３】
そして、表示装置（図示せず。）に異常を表す信号および論理和回路８４を特定する情報が入力されると、当該表示装置において、異常を表す信号を出力した論理和回路８４を特定し、特定した論理和回路８４に接続されたフォトカプラ６２、７２に接続されているトランジスタ１４を特定可能な表示を行う。
【０１６４】
つまり、表示装置（図示せず。）においては、各論理和回路８４に接続されたフォトカプラ６２、７２に接続されているトランジスタ１４が記憶されており、異常を表す信号を出力した論理和回路８４が特定されると、特定した論理和回路８４に接続されたフォトカプラ６２、７２に接続されているトランジスタ１４を、故障が生じたトランジスタ１４として特定可能な表示を行うこととなる。
【０１６５】
作業者は、この表示装置（図示せず。）に表示された表示内容を確認して、どのトランジスタ１４に故障が生じたのかを確認する。
【０１６６】
このように、高周波電源に設けられたドライブ回路１６とトランジスタ１４との間において、ゲート抵抗８２の両端にフォトカプラ６２、７２を配設するとともに、フォトカプラ６２は論理和回路８４に接続し、フォトカプラ７２は否定回路８６を介して論理和回路８４に接続して故障検知回路６０を構成するようにした。
【０１６７】
そして、ドライブ回路１６から出力される駆動信号を利用してフォトカプラ６２、７２から信号を出力するようにした。
【０１６８】
さらに、論理和回路８４では、フォトカプラ６２、７２から信号が出力された、または、フォトカプラ６２、７２から出力されなかったときには、正常を表す信号を出力し、フォトカプラ６２から信号が出力され、フォトカプラ７２から信号が出力されなかったときには、異常を表す信号を出力する。
【０１６９】
これにより、故障検知回路６０では、故障検知回路６０に接続されたトランジスタ１４に故障が生じていない場合には、論理和回路８４から正常を表す信号が出力され、故障検知回路６０に接続されたトランジスタ１４に故障が生じた場合には、論理和回路８４から異常を表す信号が出力される。
【０１７０】
そして、論理和回路８４から異常を表す信号が表示装置（図示せず。）に出力されると、この表示装置において、故障が生じたトランジスタ１４を特定する表示がなされる。
【０１７１】
つまり、この故障検知回路６０においては、故障検知回路６０に接続されたトランジスタ１４に故障が生じた場合には、論理和回路８４から異常を表す信号を出力するようにしたものである。
【０１７２】
そして、この異常を表す信号に基づいて、表示装置（図示せず。）に故障が生じたトランジスタ１４を表示するようにした。
【０１７３】
このため、作業者は、表示装置（図示せず。）に表示された表示内容を確認することにより、どこのトランジスタ１４に故障が生じているのかを容易に確認することができるようになる。
【０１７４】
なお、上記した実施の形態は、以下の（１）乃至（８）に示すように変形することができるものである。
【０１７５】
（１）上記した実施の形態においては、ドライブ回路１６とトランジスタ１４との間において、単に、フォトカプラまたはＬＥＤを配設するようにしたが、フォトカプラおよびＬＥＤに直列にコンデンサを配設するようにしてもよい。
【０１７６】
例えば、本発明の第１の実施の形態による故障検知回路１０においては、図７（ａ）に示すように、ＬＥＤ１８に対してコンデンサ１２０を直列に配置するようにする。
【０１７７】
また、本発明の第２の実施の形態による故障検知回路異１０においては、図７（ｂ）に示すように、フォトカプラ２２に対してコンデンサ１２０を直列に配置するようにする。
【０１７８】
このように、コンデンサ１２０を配置することにより、ＬＥＤおよびフォトカプラでの消費電力を削減することができるようになる。
【０１７９】
（２）上記した実施の形態においては、特に記載しなかったが、本発明の第２の実施の形態による故障検知回路２０に、本発明の第１の実施の形態による故障検知回路１０の構成を組み込むようにしてもよい。
【０１８０】
具体的には、高周波電源において、複数のトランジスタ１４と、複数のトランジスタに駆動信号を出力する複数のドライブ回路１６との間に配設されたフォトカプラ２２に対して、図８（ａ）に示すように、ＬＥＤ１８を並列に配設して故障検知回路１００を構成するようにしてもよいし、フォトカプラ２２に対して、図８（ｂ）に示すように、ＬＥＤ１８を直列に配設して故障検知回路１１０するようにしてもよい。
【０１８１】
（３）上記した実施の形態においては、本発明の第３の実施の形態による故障検知回路３０において、互いに全く異なるタイミングで駆動信号を出力する２つのドライブ回路１６に接続された２つのフォトカプラ３２を論理和回路３８に接続するようにしたが、これに限られるものではないことは勿論である。
【０１８２】
即ち、互いに一致したタイミングで駆動信号を出力する２つのドライブ回路１６に接続された２つのフォトカプラ３２を論理和回路３８に接続するようにしてもよい。
【０１８３】
この場合には、論理和回路３８は、一方のフォトカプラ３２から信号が出力され、他方のフォトカプラ３２からも信号が出力されたとき、および、一方のフォトカプラから信号が出力されず、他方のフォトカプラ３２からも信号が出力されないときには、正常を表す信号を出力する。
【０１８４】
さらに、論理和回路３８は、一方のフォトカプラ３２から信号が出力され、他方のフォトカプラ３２から信号が出力されないとき、および、一方のフォトカプラ３２から信号が出力されず、他方のフォトカプラ３２から信号が出力されたときには、異常を表す信号を出力する。
【０１８５】
（４）上記した実施の形態においては、特に記載しなかったが、本発明の第３の実施の形態による故障検知回路３０に、本発明の第１の実施の形態による故障検知回路１０の構成を組み込むようにしてもよい。
【０１８６】
即ち、故障検知回路３０の構成に、図９（ａ）に示すように、フォトカプラ３２に対してＬＥＤ１８を並列に配設して故障検知回路１３０を構成するようにしてもよいし、図９（ｂ）に示すように、フォトカプラ３２に対してＬＥＤ１８を直列に配設して故障検知回路１４０を構成するようにしてもよい。
【０１８７】
（５）上記した実施の形態においては、特に記載しなかったが、本発明の第４の実施の形態による故障検知回路４０に、本発明の第１の実施の形態による故障検知回路１０の構成を組み込むようにしてもよい。
【０１８８】
即ち、故障検知回路４０の構成に、図１０（ａ）に示すように、フォトカプラ４２に対してＬＥＤ１８を並列に配設して故障検知回路１５０を構成するようにしてもよいし、図１０（ｂ）に示すように、フォトカプラ３２に対してＬＥＤ１８を直列に配設して故障検知回路１６０を構成するようにしてもよい。
【０１８９】
また、本発明の第４の実施の形態による故障検知回路４０に、本発明による第３の実施の形態による故障検知回路３０の構成を組み込むようにしてもよい。
【０１９０】
即ち、故障検知回路４０の構成に、図１１に示すように、互いに全く異なるタイミングで駆動信号を出力するドライブ回路１６に接続されたフォトカプラ４２を論理和回路３８に接続して故障検知回路１７０を構成するようにしてもよい。
【０１９１】
この場合には、論理和回路３８または排他的論理和回路４８のどちらかから異常を表す信号が出力されると、表示装置（図示せず。）に故障が生じたトランジスタ１４およびドライブ回路１６が表示されることとなる。
【０１９２】
さらに、本発明の第４の実施の形態による故障検知回路４０に、本発明の第１の実施の形態による故障検知回路１０の構成および本発明の第３の実施の形態による故障検知回路３０の構成を組み込むようにしてもよい。
【０１９３】
即ち、故障検知回路４０に故障検知回路３０の構成を組み込んだ故障検知回路１７０の構成に、図１２（ａ）に示すように、フォトカプラ４２に対してＬＥＤ１８を並列に配設して故障検知回路１８０を構成するようにしてもよいし、図１２（ｂ）に示すように、フォトカプラ３２に対してＬＥＤ１８を直列に配設して故障検知回路１９０を構成するようにしてもよい。
【０１９４】
（６）上記した実施の形態においては、特に記載しなかったが、本発明の第５の実施の形態による故障検知回路６０に、本発明の第１の実施の形態による故障検知回路１０の構成を組み込むようにしてもよい。
【０１９５】
即ち、故障検知回路４０の構成に、図１３（ａ）に示すように、フォトカプラ７２に対してＬＥＤ１８を並列に配設して故障検知回路２００を構成するようにしてもよいし、図１３（ｂ）に示すように、フォトカプラ３２に対してＬＥＤ１８を直列に配設して故障検知回路２１０を構成するようにしてもよい。
【０１９６】
（７）上記した実施の形態においては、故障検知装置が故障を検知する対象となるトランジスタ１４を、絶縁ゲートバイポーラトランジスタとしたが、これに限られるものではないことは勿論であり、故障検知装置が故障を検知する対象とするトランジスタ１４としては、例えば、ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）などとしてもよい。
【０１９７】
（８）上記した実施の形態ならびに上記した（１）乃至（７）に示す変形例は、適宜に組み合わせるようにしてもよい。
【産業上の利用可能性】
【０１９８】
本発明は、トランジスタの故障を検知する回路として用いて好適である。
【符号の説明】
【０１９９】
１０、２０、３０、４０、６０、１００、１１０、１３０、１４０、１５０、１６０、０７０、１８０、１９０、２００、２１０        故障検知回路
１４        トランジスタ
１６        ドライブ回路
１８        ＬＥＤ
２２、３２、４２、５２、６２、７２        フォトカプラ
３８、８４        論理和回路
４８        排他的論理和回路
８６        否定回路
１２０      コンデンサ
【図１】
2014161178.tif 000003
【図２】
2014161178.tif 000004
【図３】
2014161178.tif 000005
【図４】
2014161178.tif 000006
【図５】
2014161178.tif 000007
【図６】
2014161178.tif 000008
【図７】
2014161178.tif 000009
【図８】
2014161178.tif 000010
【図９】
2014161178.tif 000011
【図１０】
2014161178.tif 000012
【図１１】
2014161178.tif 000013
【図１２】
2014161178.tif 000014
【図１３】
2014161178.tif 000015
【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
複数の前記のトランジスタのそれぞれと複数の前記ドライブ回路のそれぞれとの間にそれぞれ接続されたＬＥＤを備え、
前記ＬＥＤは前記ドライブ回路から出力される駆動信号により発光する
ことを特徴とする故障検知回路。
【請求項２】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
複数の前記のトランジスタのそれぞれと複数の前記ドライブ回路のそれぞれとの間にそれぞれ接続されたフォトカプラを備え、
前記フォトカプラは前記ドライブ回路から出力される駆動信号が入力されると信号を出力する
ことを特徴とする故障検知回路。
【請求項３】
請求項２に記載の故障検知回路において、さらに、
前記フォトカプラに対して直列あるいは並列に配設されるとともに、前記ドライブ回路から出力される駆動信号により発光するＬＥＤと
を有することを特徴とする故障検知回路。
【請求項４】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
第１のドライブ回路と、前記第１のドライブ回路から駆動信号が出力される第１のトランジスタとの間に配設され、前記第１のドライブ回路から出力される駆動信号が入力されると信号を出力する第１のフォトカプラと、
前記第１のドライブ回路と全く異なったタイミングで駆動信号を出力する第２のドライブ回路と、前記第２のドライブ回路から駆動信号が出力される第２のトランジスタとの間に配設され、前記第２のドライブ回路から出力される駆動信号が入力されると信号を出力する第２のフォトカプラと、
前記第１のフォトカプラと前記第２のフォトカプラとが接続される論理和回路と
を有し、
前記論理和回路は、
前記第１のフォトカプラから信号が出力され、かつ、前記第２のフォトカプラから信号が出力されていないとき、および、前記第１のフォトカプラから信号が出力されず、かつ、前記第２のフォトカプラから信号が出力されたときには、正常を表す信号を出力し、
前記第１のフォトカプラおよび前記第２のフォトカプラから信号が出力されたとき、および、前記第１のフォトカプラおよび前記第２のフォトカプラから信号が出力されていないときには、異常を表す信号を出力する
ことを特徴とする故障検知回路。
【請求項５】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
第１のドライブ回路と、前記第１のドライブ回路から駆動信号が出力される第１のトランジスタとの間に配設され、前記第１のドライブ回路から出力される駆動信号を入力すると信号を出力する第１のフォトカプラと、
前記第１のドライブ回路と一致したタイミングで駆動信号を出力する第２のドライブ回路と、前記第２のドライブ回路から駆動信号が出力される第２のトランジスタとの間に配設され、前記第２のドライブ回路から出力される駆動信号を入力すると信号を出力する第２のフォトカプラと、
前記第１のフォトカプラと前記第２のフォトカプラとが接続される論理和回路と
を有し、
前記論理和回路は、
前記第１のフォトカプラおよび前記第２のフォトカプラから信号が出力されたとき、および、前記第１のフォトカプラおよび前記第２のフォトカプラから信号が出力されていないときには、正常を表す信号を出力し、
前記第１のフォトカプラから信号が出力され、かつ、前記第２のフォトカプラから信号が出力されていないとき、および、前記第１のフォトカプラから信号が出力されず、かつ、前記第２のフォトカプラから信号が出力されたときには、異常を表す信号を出力する
ことを特徴とする故障検知回路。
【請求項６】
請求項４または５に記載の故障検知回路において、さらに、
前記第１のフォトカプラに対して直列あるいは並列に配設されるとともに、前記第１のドライブ回路から出力される駆動信号により発光する第１のＬＥＤと、
前記第２のフォトカプラに対して直列あるいは並列に配設されるとともに、前記第２のドライブ回路から出力される駆動信号により発光する第２のＬＥＤと
を有することを特徴とする故障検知回路。
【請求項７】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
前記トランジスタのゲート−エミッタ間に配設され、前記ドライブ回路から出力される駆動信号を入力すると信号を出力する第１のフォトカプラと、
前記トランジスタのコレクタ−エミッタ間に配設され、前記トランジスタのコレクタから出力されるコレクタ信号を入力すると信号を出力する第２のフォトカプラと、
前記第１のフォトカプラと前記第２のフォトカプラとが接続される排他的論理和回路と
を有し、
前記排他的論理和回路は、
前記第１のフォトカプラから信号が出力され、かつ、前記第２のフォトカプラから信号が出力されていないとき、および、前記第１のフォトカプラから信号が出力されず、かつ、前記第２のフォトカプラから信号が出力されたときには、正常を表す信号を出力し、
前記第１のフォトカプラおよび前記第２のフォトカプラから信号が出力されたとき、および、前記第１のフォトカプラおよび前記第２のフォトカプラから信号が出力されていないときには、異常を表す信号を出力する
ことを特徴とする故障検知回路。
【請求項８】
請求項６に記載の故障検知回路において、さらに、
前記第１のフォトカプラに対して直列あるいは並列に配設されるとともに、前記ドライブ回路から出力される駆動信号により発光するＬＥＤと
を有することを特徴とする故障検知回路。
【請求項９】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
第１のドライブ回路から駆動信号が出力される第１のトランジスタのゲート−エミッタ間に配設され、前記第１のドライブ回路から出力される駆動信号を入力すると信号を出力する第１のフォトカプラと、
前記第１のドライブ回路から駆動信号が出力される前記第１のトランジスタのコレクタ−エミッタ間に配設され、前記第１のトランジスタのコレクタから出力されるコレクタ信号を入力すると信号を出力する第２のフォトカプラと、
前記第１のフォトカプラと前記第２のフォトカプラとが接続される第１の排他的論理和回路と、
前記第１のドライブ回路と全く異なったタイミングで駆動信号を出力する第２のドライブ回路から駆動信号が出力される第２のトランジスタのゲート−エミッタ間に配設され、前記第２のドライブ回路から出力される駆動信号を入力すると信号を出力する第３のフォトカプラと、
前記第２のドライブ回路から駆動信号が出力される前記第２のトランジスタのコレクタ−エミッタ間に配設され、前記第２のトランジスタのコレクタから出力されるコレクタ信号を入力すると信号を出力する第４のフォトカプラと、
前記第３のフォトカプラと前記第４のフォトカプラとが接続される第２の排他的論理和回路と、
前記第１のフォトカプラと前記第３のフォトカプラとが接続される論理和回路と
を有し、
前記第１の排他的論理和回路は、
前記第１のフォトカプラから信号が出力され、かつ、前記第２のフォトカプラから信号が出力されていないとき、および、前記第１のフォトカプラから信号が出力されず、かつ、前記第２のフォトカプラから信号が出力されたときには、正常を表す信号を出力し、
前記第１のフォトカプラおよび前記第２のフォトカプラから信号が出力されたとき、および、前記第１のフォトカプラおよび前記第２のフォトカプラから信号が出力されていないときには、異常を表す信号を出力し、
前記第２の排他的論理和回路は、
前記第３のフォトカプラから信号が出力され、かつ、前記第４のフォトカプラから信号が出力されていないとき、および、前記第３のフォトカプラから信号が出力されず、かつ、前記第４のフォトカプラから信号が出力されたときには、正常を表す信号を出力し、
前記第３のフォトカプラおよび前記第４のフォトカプラから信号が出力されたとき、および、前記第３のフォトカプラおよび前記第４のフォトカプラから信号が出力されていないときには、異常を表す信号を出力し、
前記論理和回路は、
前記第１のフォトカプラから信号が出力され、かつ、前記第３のフォトカプラから信号が出力されていないとき、および、前記第１のフォトカプラから信号が出力されず、かつ、前記第３のフォトカプラから信号が出力されたときには、正常を表す信号を出力し、
前記第１のフォトカプラおよび前記第３のフォトカプラから信号が出力されたとき、および、前記第１のフォトカプラおよび前記第３のフォトカプラから信号が出力されていないときには、異常を表す信号を出力する
ことを特徴とする故障検知回路。
【請求項１０】
複数のトランジスタと、複数の前記トランジスタにそれぞれ接続されるとともに前記トランジスタに駆動信号を出力する複数のドライブ回路とに接続されて、前記トランジスタの故障を検知する故障検知回路であって、
第１のドライブ回路から駆動信号が出力される第１のトランジスタのゲート−エミッタ間に配設され、前記第１のドライブ回路から出力される駆動信号を入力すると信号を出力する第１のフォトカプラと、
前記第１のドライブ回路から駆動信号が出力される前記第１のトランジスタのコレクタ−エミッタ間に配設され、前記第１のトランジスタのコレクタから出力されるコレクタ信号を入力すると信号を出力する第２のフォトカプラと、
前記第１のフォトカプラと前記第２のフォトカプラとが接続される第１の排他的論理和回路と、
前記第１のドライブ回路と一致したタイミングで駆動信号を出力する第２のドライブ回路から駆動信号が出力される第２のトランジスタのゲート−エミッタ間に配設され、前記第２のドライブ回路から出力される駆動信号を入力すると信号を出力する第３のフォトカプラと、
前記第２のドライブ回路から駆動信号が出力される前記第２のトランジスタのコレクタ−エミッタ間に配設され、前記第２のトランジスタのコレクタから出力されるコレクタ信号を入力すると信号を出力する第４のフォトカプラと、
前記第３のフォトカプラと前記第４のフォトカプラとが接続される第２の排他的論理和回路と、
前記第１のフォトカプラと前記第３のフォトカプラとが接続される論理和回路と
を有し、
前記第１の排他的論理和回路は、
前記第１のフォトカプラから信号が出力され、かつ、前記第２のフォトカプラから信号が出力されていないとき、および、前記第１のフォトカプラから信号が出力されず、かつ、前記第２のフォトカプラから信号が出力されたときには、正常を表す信号を出力し、
前記第１のフォトカプラおよび前記第２のフォトカプラから信号が出力されたとき、および、前記第１のフォトカプラおよび前記第２のフォトカプラから信号が出力されていないときには、異常を表す信号を出力し、
前記第２の排他的論理和回路は、
前記第３のフォトカプラから信号が出力され、かつ、前記第４のフォトカプラから信号が出力されていないとき、および、前記第３のフォトカプラから信号が出力されず、かつ、前記第４のフォトカプラから信号が出力されたときには、正常を表す信号を出力し、
前記第３のフォトカプラおよび前記第４のフォトカプラから信号が出力されたとき、および、前記第３のフォトカプラおよび前記第４のフォトカプラから信号が出力されていないときには、異常を表す信号を出力し、
前記論理和回路は、
前記第１のフォトカプラおよび前記第３のフォトカプラから信号が出力されたとき、および、前記第１のフォトカプラおよび前記第３のフォトカプラから信号が出力されていないときには、正常を表す信号を出力し、
前記第１のフォトカプラから信号が出力され、かつ、前記第３のフォトカプラから信号が出力されていないとき、および、前記第１のフォトカプラから信号が出力されず、かつ、前記第３のフォトカプラから信号が出力されたときには、異常を表す信号を出力する
ことを特徴とする故障検知回路。
【請求項１１】
請求項９または１０のいずれか１項に記載の故障検知回路において、さらに、
前記第１のフォトカプラに対して直列あるいは並列に配設されるとともに、前記第１のドライブ回路から出力される駆動信号により発光する第１のＬＥＤと、
前記第３のフォトカプラに対して直列あるいは並列に配設されるとともに、前記第２のドライブ回路から出力される駆動信号により発光する第２のＬＥＤと
を有することを特徴とする故障検知回路。
【手続補正２】
【補正対象書類名】明細書
【補正対象項目名】００１７
【補正方法】変更
【補正の内容】
【００１７】
即ち、本発明は、複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、複数の上記のトランジスタのそれぞれと複数の上記ドライブ回路のそれぞれとの間にそれぞれ接続されたＬＥＤを備え、上記ＬＥＤは上記ドライブ回路から出力される駆動信号により発光するようにしたものである。
【手続補正３】
【補正対象書類名】明細書
【補正対象項目名】００１８
【補正方法】変更
【補正の内容】
【００１８】
また、本発明は、複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、複数の上記のトランジスタのそれぞれと複数の上記ドライブ回路のそれぞれとの間にそれぞれ接続されたフォトカプラを備え、上記フォトカプラは上記ドライブ回路から出力される駆動信号が入力されると信号を出力するようにしたものである。
【手続補正４】
【補正対象書類名】明細書
【補正対象項目名】００２５
【補正方法】変更
【補正の内容】
【００２５】
また、本発明は、複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、第１のドライブ回路から駆動信号が出力される第１のトランジスタのゲート−エミッタ間に配設され、上記第１のドライブ回路から出力される駆動信号を入力すると信号を出力する第１のフォトカプラと、上記第１のドライブ回路から駆動信号が出力される上記第１のトランジスタのコレクタ−エミッタ間に配設され、上記第１のトランジスタのコレクタから出力されるコレクタ信号を入力すると信号を出力する第２のフォトカプラと、上記第１のフォトカプラと上記第２のフォトカプラとが接続される第１の排他的論理和回路と、上記第１のドライブ回路と全く異なったタイミングで駆動信号を出力する第２のドライブ回路から駆動信号が出力される第２のトランジスタのゲート−エミッタ間に配設され、上記第２のドライブ回路から出力される駆動信号を入力すると信号を出力する第３のフォトカプラと、上記第２のドライブ回路から駆動信号が出力される上記第２のトランジスタのコレクタ−エミッタ間に配設され、上記第２のトランジスタのコレクタから出力されるコレクタ信号を入力すると信号を出力する第４のフォトカプラと、上記第３のフォトカプラと上記第４のフォトカプラとが接続される第２の排他的論理和回路と、上記第１のフォトカプラと上記第３のフォトカプラとが接続される論理和回路とを有し、上記第１の排他的論理和回路は、上記第１のフォトカプラから信号が出力され、かつ、上記第２のフォトカプラから信号が出力されていないとき、および、上記第１のフォトカプラから信号が出力されず、かつ、上記第２のフォトカプラから信号が出力されたときには、正常を表す信号を出力し、上記第１のフォトカプラおよび上記第２のフォトカプラから信号が出力されたとき、および、上記第１のフォトカプラおよび上記第２のフォトカプラから信号が出力されていないときには、異常を表す信号を出力し、上記第２の排他的論理和回路は、上記第３のフォトカプラから信号が出力され、かつ、上記第４のフォトカプラから信号が出力されていないとき、および、上記第３のフォトカプラから信号が出力されず、かつ、上記第４のフォトカプラから信号が出力されたときには、正常を表す信号を出力し、上記第３のフォトカプラおよび上記第４のフォトカプラから信号が出力されたとき、および、上記第３のフォトカプラおよび上記第４のフォトカプラから信号が出力されていないときには、異常を表す信号を出力し、上記論理和回路は、上記第１のフォトカプラから信号が出力され、かつ、上記第３のフォトカプラから信号が出力されていないとき、および、上記第１のフォトカプラから信号が出力されず、かつ、上記第３のフォトカプラから信号が出力されたときには、正常を表す信号を出力し、上記第１のフォトカプラおよび上記第３のフォトカプラから信号が出力されたとき、および、上記第１のフォトカプラおよび上記第３のフォトカプラから信号が出力されていないときには、異常を表す信号を出力するようにしたものである。
【手続補正５】
【補正対象書類名】明細書
【補正対象項目名】００２６
【補正方法】変更
【補正の内容】
【００２６】
また、本発明は、複数のトランジスタと、複数の上記トランジスタにそれぞれ接続されるとともに上記トランジスタに駆動信号を出力する複数のドライブ回路とに接続されて、上記トランジスタの故障を検知する故障検知回路であって、第１のドライブ回路から駆動信号が出力される第１のトランジスタのゲート−エミッタ間に配設され、上記第１のドライブ回路から出力される駆動信号を入力すると信号を出力する第１のフォトカプラと、上記第１のドライブ回路から駆動信号が出力される上記第１のトランジスタのコレクタ−エミッタ間に配設され、上記第１のトランジスタのコレクタから出力されるコレクタ信号を入力すると信号を出力する第２のフォトカプラと、上記第１のフォトカプラと上記第２のフォトカプラとが接続される第１の排他的論理和回路と、上記第１のドライブ回路と一致したタイミングで駆動信号を出力する第２のドライブ回路から駆動信号が出力される第２のトランジスタのゲート−エミッタ間に配設され、上記第２のドライブ回路から出力される駆動信号を入力すると信号を出力する第３のフォトカプラと、上記第２のドライブ回路から駆動信号が出力される上記第２のトランジスタのコレクタ−エミッタ間に配設され、上記第２のトランジスタのコレクタから出力されるコレクタ信号を入力すると信号を出力する第４のフォトカプラと、上記第３のフォトカプラと上記第４のフォトカプラとが接続される第２の排他的論理和回路と、上記第１のフォトカプラと上記第３のフォトカプラとが接続される論理和回路とを有し、上記第１の排他的論理和回路は、上記第１のフォトカプラから信号が出力され、かつ、上記第２のフォトカプラから信号が出力されていないとき、および、上記第１のフォトカプラから信号が出力されず、かつ、上記第２のフォトカプラから信号が出力されたときには、正常を表す信号を出力し、上記第１のフォトカプラおよび上記第２のフォトカプラから信号が出力されたとき、および、上記第１のフォトカプラおよび上記第２のフォトカプラから信号が出力されていないときには、異常を表す信号を出力し、上記第２の排他的論理和回路は、上記第３のフォトカプラから信号が出力され、かつ、上記第４のフォトカプラから信号が出力されていないとき、および、上記第３のフォトカプラから信号が出力されず、かつ、上記第４のフォトカプラから信号が出力されたときには、正常を表す信号を出力し、上記第３のフォトカプラおよび上記第４のフォトカプラから信号が出力されたとき、および、上記第３のフォトカプラおよび上記第４のフォトカプラから信号が出力されていないときには、異常を表す信号を出力し、上記論理和回路は、上記第１のフォトカプラおよび上記第３のフォトカプラから信号が出力されたとき、および、上記第１のフォトカプラおよび上記第３のフォトカプラから信号が出力されていないときには、正常を表す信号を出力し、上記第１のフォトカプラから信号が出力され、かつ、上記第３のフォトカプラから信号が出力されていないとき、および、上記第１のフォトカプラから信号が出力されず、かつ、上記第３のフォトカプラから信号が出力されたときには、異常を表す信号を出力するようにしたものである。
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００７３
【補正方法】変更
【補正の内容】
【００７３】
これにより、故障検知回路２０では、故障検知回路２０に接続されたトランジスタ１４およびドライブ回路１６の両方に故障が生じていない場合には、故障検知回路２０のフォトカプラ２２から信号が出力される。一方、故障検知回路２０に接続されたトランジスタ１４およびドライブ回路１６の少なくともどちらか一方に故障が生じた場合には、故障検知回路２０のフォトカプラ２２から信号が出力されなくなる。
【手続補正９】
【補正対象書類名】明細書
【補正対象項目名】０１８８
【補正方法】変更
【補正の内容】
【０１８８】
即ち、故障検知回路４０の構成に、図１０（ａ）に示すように、フォトカプラ４２に対してＬＥＤ１８を並列に配設して故障検知回路１５０を構成するようにしてもよいし、図１０（ｂ）に示すように、フォトカプラ４２に対してＬＥＤ１８を直列に配設して故障検知回路１６０を構成するようにしてもよい。
【手続補正１０】
【補正対象書類名】明細書
【補正対象項目名】０１９３
【補正方法】変更
【補正の内容】
【０１９３】
即ち、故障検知回路４０に故障検知回路３０の構成を組み込んだ故障検知回路１７０の構成に、図１２（ａ）に示すように、フォトカプラ４２に対してＬＥＤ１８を並列に配設して故障検知回路１８０を構成するようにしてもよいし、図１２（ｂ）に示すように、フォトカプラ４２に対してＬＥＤ１８を直列に配設して故障検知回路１９０を構成するようにしてもよい。
【手続補正１１】
【補正対象書類名】明細書
【補正対象項目名】０１９５
【補正方法】変更
【補正の内容】
【０１９５】
即ち、故障検知回路４０の構成に、図１３（ａ）に示すように、フォトカプラ７２に対してＬＥＤ１８を並列に配設して故障検知回路２００を構成するようにしてもよいし、図１３（ｂ）に示すように、フォトカプラ７２に対してＬＥＤ１８を直列に配設して故障検知回路２１０を構成するようにしてもよい。